(57)【要約】【課題】ユーザが、操作モードを容易に登録することができ、情報記憶媒体を使用して容易に画像形成装置における処理を行うことができるようにする。【解決手段】情報記憶媒体の媒体識別情報ＩＤを読み取るための情報読取器を備え、該情報読取器によって読み取った媒体識別情報に対応する処理を行うようになっている。所定の操作モードにおいて、画像形成装置における処理に対する設定値が入力されたときに、情報読取器によって読み取られた情報記憶媒体の媒体識別情報を読み込み、該媒体識別情報と操作モードの名称及び画像形成装置における処理に対する設定値とを対応させて記憶装置に記録することにより、情報記憶媒体及び操作モードを登録する制御部１４を有する。ユーザは、情報記憶媒体を情報読取器によって認識させるだけで、情報記憶媒体及び操作モードを容易に登録することができる。【選択図】図１
2018047650.tif 000002
【特許請求の範囲】
【請求項１】
情報記憶媒体の媒体識別情報を読み取るための情報読取器を備え、該情報読取器によって読み取った媒体識別情報に対応する処理を行う画像形成装置において、
所定の操作モードにおいて、画像形成装置における処理に対する設定値が入力されたときに、情報読取器によって読み取られた情報記憶媒体の媒体識別情報を読み込み、該媒体識別情報と操作モードの名称及び画像形成装置における処理に対する設定値とを対応させて記憶装置に記録することにより、情報記憶媒体及び操作モードを登録する制御部を有することを特徴とする画像形成装置。
【請求項２】
前記制御部は、表示部に表示された、登録可能な操作モードの一覧から所定の操作モードが選択されたときに、選択された所定の操作モードを登録する請求項１に記載の画像形成装置。
【請求項３】
前記制御部は、所定の操作モードにおいて、表示部の画面に形成された登録用の操作要素がユーザによって操作されたときに、前記所定の操作モードを登録する請求項１に記載の画像形成装置。
【請求項４】
操作モードが登録可能な画面に前記登録用の操作要素が形成される請求項３に記載の画像形成装置。
【請求項５】
１つの操作モードに対して、複数の情報記憶媒体を登録することができる請求項１〜４のいずれか１項に記載の画像形成装置。
【請求項６】
所定の操作モードに対応させて登録された情報記憶媒体が使用されたときに、前記制御部は、情報読取器によって情報記憶媒体の媒体識別情報を読み取り、該媒体識別情報と対応させて記憶装置に記録された操作モードの名称及び画像形成装置における処理に対する設定値に基づいて画像形成装置における処理を行う請求項１〜５のいずれか１項に記載の画像形成装置。
【請求項７】
前記制御部は、操作モードの名称と共に遷移先の操作モードの名称を記憶装置に記録する請求項１〜６のいずれか１項に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、複写機として、複写機における処理を行うための操作モードがユーザごとにあらかじめ記憶装置としてのメモリに登録され、各ユーザが、登録された自分の操作モードを読み出し、複写機に適用し、複写機における処理を行うことができる機能を有するものが提供されている。
【０００３】
この種の複写機においては、ユーザが情報記憶媒体としてのカードを複写機に配設されたカードリーダに挿着すると、カードに記録されたユーザの固有のコードが読み取られ、該コードがメモリにあらかじめ登録されたコードと一致するかどうかが判断され、一致する場合に、メモリからユーザの操作モードが読み出され、複写機における処理が行われるようになっている。
【０００４】
また、ユーザの固有のコードに対応させて操作モードの許可範囲をメモリに記録することによって、許可範囲外の操作モードが選択されたときに、複写機における処理が禁止される。
【０００５】
この機能を利用することによって、ユーザは、複写機を利用するたびに複写機の設定を行う必要がなくなるだけでなく、ユーザごとに操作モードが記録されたカードを持ち運ぶ必要がなくなる（例えば、特許文献１参照。）。
【先行技術文献】
【特許文献】
【０００６】
【特許文献１】特開平５−８８４２５号公報
【発明の概要】
【発明が解決しようとする課題】
【０００７】
しかしながら、前記従来の複写機においては、メモリからユーザの操作モード、操作モードの許可範囲等を読み出すために、ユーザが、カードに記録されたユーザの固有のコードと対応させて、メモリに操作モード及びコードをあらかじめ登録しておく必要があるので、作業が煩わしい。しかも、複写機の管理者でなければメモリにコードを登録することができない。
【０００８】
本発明は、前記従来の複写機の問題点を解決して、ユーザが、操作モードを容易に登録することができ、情報記憶媒体を使用して容易に画像形成装置における処理を行うことができる画像形成装置を提供することを目的とする。
【課題を解決するための手段】
【０００９】
そのために、本発明の画像形成装置においては、情報記憶媒体の媒体識別情報を読み取るための情報読取器を備え、該情報読取器によって読み取った媒体識別情報に対応する処理を行うようになっている。
【００１０】
そして、所定の操作モードにおいて、画像形成装置における処理に対する設定値が入力されたときに、情報読取器によって読み取られた情報記憶媒体の媒体識別情報を読み込み、該媒体識別情報と操作モードの名称及び画像形成装置における処理に対する設定値とを対応させて記憶装置に記録することにより、情報記憶媒体及び操作モードを登録する制御部を有する。
【発明の効果】
【００１１】
本発明によれば、画像形成装置においては、情報記憶媒体の媒体識別情報を読み取るための情報読取器を備え、該情報読取器によって読み取った媒体識別情報に対応する処理を行うようになっている。
【００１２】
そして、所定の操作モードにおいて、画像形成装置における処理に対する設定値が入力されたときに、情報読取器によって読み取られた情報記憶媒体の媒体識別情報を読み込み、該媒体識別情報と操作モードの名称及び画像形成装置における処理に対する設定値とを対応させて記憶装置に記録することにより、情報記憶媒体及び操作モードを登録する制御部を有する。
【００１３】
この場合、所定の操作モードにおいて、画像形成装置における処理に対する設定値が入力されたときに、情報読取器によって読み取られた情報記憶媒体の媒体識別情報が読み込まれ、該媒体識別情報と操作モードの名称及び画像形成装置における処理に対する設定値とが対応させて記憶装置に記録され、情報記憶媒体及び操作モードが登録されるので、ユーザは、情報記憶媒体を情報読取器によって認識させるだけで、情報記憶媒体及び操作モードを容易に登録したり、管理したりすることができる。
【００１４】
また、情報記憶媒体を情報読取器によって認識させるだけで、登録された操作モードに基づいて画像形成装置における処理を行うことができる。
【図面の簡単な説明】
【００１５】
【図１】本発明の実施の形態におけるプリンタの制御ブロック図である。
【図２】本発明の実施の形態におけるプリンタの概念図である。
【図３】本発明の実施の形態におけるカードリーダ及びカードリーダに使用されるカードの種類を説明するための図である。
【図４】本発明の実施の形態におけるモード一覧画面の例を示す図である。
【図５】本発明の実施の形態におけるＩＣカード及び操作モードの登録内容の例を示す図である。
【図６】本発明の実施の形態における印刷ジョブ用の記憶部に記録された印刷ジョブの一覧の例を示すである。
【図７】本発明の実施の形態におけるＩＣカードと操作モードとを対応させて登録する際に形成されるカード登録画面の例を示す図である。
【図８】本発明の実施の形態におけるジョブ一覧画面の第１の例を示す図である。
【図９】本発明の実施の形態におけるジョブ一覧画面の第２の例を示す図である。
【図１０】本発明の実施の形態におけるＩＣカードをカードリーダにかざしたときのプリンタ動作を示すフローチャートである。
【図１１】本発明の実施の形態におけるＩＣカードを登録する場合のプリンタの動作を示すフローチャートである。
【発明を実施するための形態】
【００１６】
以下、本発明の実施の形態について図面を参照しながら詳細に説明する。この場合、画像形成装置としてのプリンタについて説明する。
【００１７】
図２は本発明の実施の形態におけるプリンタの概念図である。
【００１８】
図において、１１はプリンタ、Ｐは該プリンタ１１の本体、すなわち、装置本体内を搬送される媒体としての用紙であり、前記プリンタ１１は、パソコン等の後述される上位装置としてのホストコンピュータ１０（図１）から送信された印刷データに基づいて画像データを生成し、該画像データに従って用紙Ｐに画像を形成することにより印刷の動作を行ったり、原稿の画像を読み取り、読取データを生成し、該読取データに基づいて画像データを生成し、該画像データに従って用紙Ｐに画像を形成することにより複写の動作を行ったりする。
【００１９】
そのために、前記装置本体の上部に、原稿の画像を読み取る読取部Ｐｔ１が、装置本体の中央部に、用紙Ｐに画像を形成する記録部Ｐｔ２が、装置本体の下部に、記録部Ｐｔ２に用紙Ｐを供給する給紙部Ｐｔ３が配設される。読取部Ｐｔ１は、プリンタ１１の筐体Ｃｓ上に、記録部Ｐｔ２及び給紙部Ｐｔ３は筐体Ｃｓ内に配設される。そして、読取部Ｐｔ１に情報読取器としてのカードリーダ２１が配設される。
【００２０】
前記給紙部Ｐｔ３には、図示されない紙管に用紙Ｐを巻回させて形成されたロール紙６４がセットされる。そして、紙管の両端にフランジ６５が固定され、該フランジ６５が、所定の間隔を置いて回転自在に配設されたコロ６６、６７上に載置される。
【００２１】
また、前記給紙部Ｐｔ３には、ロール紙６４と隣接させて、第１の搬送ローラ対６８が回転自在に配設され、搬送用の駆動部としての図示されない搬送用モータが駆動されて第１の搬送ローラ対６８が回転させられると、ロール紙６４から用紙Ｐが媒体搬送路Ｒｔに引き出され、搬送される。
【００２２】
前記第１の搬送ローラ対６８は、駆動ローラ及びピンチローラから成り、ピンチローラは、駆動ローラに押圧され、駆動ローラの回転に伴って回転させられる。用紙Ｐは、駆動ローラ及びピンチローラによって挟まれて搬送され、記録部Ｐｔ２に供給される。本実施の形態においては、媒体として用紙Ｐが使用されるようになっているが、用紙Ｐに代えて、薄いシート状の樹脂を使用することができる。
【００２３】
前記記録部Ｐｔ２には、用紙Ｐの搬送方向における第１の搬送ローラ対６８より下流側に、カッタ装置７０が配設され、該カッタ装置７０によって用紙Ｐがカットされる。
【００２４】
また、用紙Ｐの搬送方向におけるカッタ装置７０より下流側に、第２の搬送ローラ対７１が、該第２の搬送ローラ対７１より下流側に、第３の搬送ローラ対７２が回転自在に配設され、前記搬送用モータが駆動され、第２、第３の搬送ローラ対７１、７２が回転させられるのに伴って、用紙Ｐは媒体搬送路Ｒｔを更に搬送される。なお、第２、第３の搬送ローラ対７１、７２は、第１のローラ対６８と同様にそれぞれ駆動ローラ及びピンチローラから成り、用紙Ｐは、駆動ローラ及びピンチローラによって挟まれて搬送され、画像形成部Ｑに供給される。
【００２５】
該画像形成部Ｑにおいては、像担持体としての感光体ドラム５０が矢印方向に回転自在に配設され、該感光体ドラム５０と対向させて、かつ、感光体ドラム５０の回転方向に沿って、帯電装置としての帯電器５１、露光装置としてのＬＥＤヘッド５２、現像装置としての現像器５３、転写部材としての転写ローラ５４、分離部５５、クリーニング装置５６及び除電器５７が配設される。なお、前記現像器５３は、現像剤としての図示されないトナーを収容する現像剤収容部としてのトナーカートリッジ５８、及び感光体ドラム５０に当接させて回転自在に配設された現像剤担持体としての現像ローラ５９を備える。
【００２６】
したがって、画像形成部Ｑにおいては、帯電器５１によって感光体ドラム５０の表面が一様に帯電させられて、電荷のチャージが行われ、ＬＥＤヘッド５２によって感光体ドラム５０の表面が露光されて潜像としての静電潜像が形成され、現像ローラ５９によって静電潜像が現像されて、現像剤像としてのトナー像が形成される。
【００２７】
そして、前記給紙部Ｐｔ３から供給された用紙Ｐは、静電気力によって感光体ドラム５０に張り付き、背面から転写ローラ５４による転写バイアス及び押圧力を受けて、感光体ドラム５０上のトナー像が転写される。
【００２８】
トナー像が転写された用紙Ｐは、分離部５５による分離バイアスを受けて感光体ドラム５０から引き剥がされる。
【００２９】
また、トナー像が転写された後の感光体ドラム５０の表面には、トナーがわずかに残留するが、残留したトナーは、クリーニング装置５６に配設されたクリーニング部材としての図示されないゴム製のクリーニングブレードによって掻き取られ、除去され、クリーニング装置５６内に収容される。前記クリーニングブレードは、感光体ドラム５０の表面に適正な圧力で当接させられ、クリーニングブレードによって残留したトナーが除去された後の感光体ドラム５０の表面は、除電器５７によって除電され、リフレッシュされる。
【００３０】
なお、印刷データを編集することによって生成された画像データは、後述される印刷制御部２０（図１）に配設されたＲＩＰコントローラ基板によってラスタライズされて、ＬＥＤヘッド５２に供給される。
【００３１】
そして、前記記録部Ｐｔ２において、用紙Ｐの搬送方向における画像形成部Ｑより下流側に、搬送ベルト装置６０が配設され、該搬送ベルト装置６０より下流側に定着装置としての定着器６１が配設され、該定着器６１より下流側に、排出ローラ対６２が回転自在に配設される。
【００３２】
前記搬送ベルト装置６０は、回転自在に配設された駆動ローラＲ１及び従動ローラＲ２、駆動ローラＲ１と従動ローラＲ２との間に走行自在に張設された搬送ベルトＢｔ、並びに搬送ベルトＢｔ内に配設された用紙吸引用の図示されないファンを備え、用紙Ｐは、搬送ベルトＢｔの走行に伴って、搬送ベルトＢｔに形成された吸引孔によって吸引されて搬送され、定着器６１に供給される。
【００３３】
該定着器６１は、回転自在に配設された第１の定着部材としての定着ローラ６１ａ、及び該定着ローラ６１ａに押し付けて回転自在に配設された第２の定着部材としての加圧ローラ６１ｂを備え、用紙Ｐが定着ローラ６１ａと加圧ローラ６１ｂとの間を通過する間に、用紙Ｐ上のトナー像が加熱され、加圧されて用紙Ｐに定着させられ、用紙Ｐに画像が形成される。
【００３４】
このようにして画像が形成された用紙Ｐは、排出ローラ対６２によって装置本体外に排出される。なお、排出ローラ対６２は排紙ローラ及び従動ローラを備え、用紙Ｐは排紙ローラ及び従動ローラによって挟まれて排出される。
【００３５】
また、前記読取部Ｐｔ１は、原稿の画像を読み取る読取センサ７３、原稿を矢印方向に搬送し、読取センサ７３に供給する原稿搬送ローラ対７４等を備え、読取センサ７３及び原稿搬送ローラ対７４によってスキャナが構成される。
【００３６】
原稿搬送ローラ対７４によって搬送された原稿は読取センサ７３に送られ、読取センサ７３によって、原稿の画像が読み取られ、読取データが生成される。該読取データに基づいて印刷ジョブのデータが生成され、印刷ジョブのデータは、プリンタ１１の後述されるＨＤＤ１９（図１）に記録され、その後、ＬＥＤヘッド５２に送られる。そして、該ＬＥＤヘッド５２によって、感光体ドラム５０の表面にイメージが反転された静電潜像が形成される。
【００３７】
次に、前記プリンタ１１の制御装置について説明する。
【００３８】
図１は本発明の実施の形態におけるプリンタの制御ブロック図である。
【００３９】
図において、１０はホストコンピュータ、１１はプリンタであり、ホストコンピュータ１０とプリンタ１１とは、有線又は無線のネットワークＮｔを介して接続され、画像形成システムを構成する。
【００４０】
プリンタ１１は、インタフェース（Ｉ／Ｆ）１３、制御部１４、操作・表示部としての操作パネル１５、読取制御部１６、第１の記憶装置としてのＲＯＭ１７、第２の記憶装置としてのＲＡＭ１８、第３の記憶装置としてのＨＤＤ１９、印刷制御部２０、カードリーダ２１等を有する。
【００４１】
前記インタフェース１３は、ホストコンピュータ１０との間で送受信を行い、例えば、ホストコンピュータ１０から印刷データ、制御コマンド等を受信したり、プリンタ１１のステータス信号をホストコンピュータ１０に送信したりする。
【００４２】
前記制御部１４は、図示されないＣＰＵ等の演算装置を備え、ＲＯＭ１７に記録されているプログラムに従って、プリンタ１１の全体の制御、演算等を行う。そのために、制御部１４は、インタフェース１３、操作パネル１５、読取制御部１６、ＲＯＭ１７、ＲＡＭ１８、ＨＤＤ１９、印刷制御部２０、カードリーダ２１等と接続される。
【００４３】
前記操作パネル１５は、キー、ボタン等から成る操作部、及びＬＥＤ、液晶画面等から成る表示部を備える。ユーザは、操作部を操作することによって、プリンタ１１への指示を入力したり、各種の設定値を入力したりすることができ、表示部に表示された各種の情報を取得することができる。本実施の形態においては、操作パネル１５がタッチパネルによって形成され、ユーザはタッチパネルの所定の箇所にタッチすることによって入力を行うことができる。
【００４４】
前記読取制御部１６は、前記読取部Ｐｔ１（図２）の制御を行い、原稿の画像を読み取り、読取データを生成する。
【００４５】
前記ＲＯＭ１７には、前記プログラムが記録されるほかに、プリンタ１１の初期値、設定値等のデータが記録される。
【００４６】
前記ＲＡＭ１８は、制御部１４のワークエリアとして利用されるほかに、各種のデータを一時的に記録するバッファとして利用される。
【００４７】
ＨＤＤ１９は、ホストコンピュータ１０から送信された印刷データ、制御コマンド等のほかに、印刷データに基づいて生成された印刷ジョブ、該印刷ジョブ自体のデータを編集することによって生成された画像データ等を記録するための第１の記憶部としての印刷ジョブ用の記憶部を備える。印刷ジョブには、ユーザの名称を表すユーザ名、印刷ジョブ自体のデータ等のほかに、印刷物のページ数、印刷部数、ファイルの名称を表すファイル名等が含まれる。また、印刷データと共にホストコンピュータ１０から送信された印刷データのユーザ名、ファイル名等のデータが、印刷ジョブの関連情報として印刷ジョブ用の記憶部に記録される。さらに、読取部Ｐｔ１から送られた読取データに基づいて生成された印刷ジョブ、該印刷ジョブ自体のデータを編集することによって生成された画像データ等も同様に印刷ジョブ用の記憶部に記録される。
【００４８】
そして、ＨＤＤ１９に記録された複数の印刷ジョブのデータは制御部１４によって管理される。
【００４９】
また、ＨＤＤ１９は、ＩＣカード、磁気カード等の情報記憶媒体としてのカード、本実施の形態においては、ＩＣカードと、プリンタ１１において所定の処理を行うための操作モードとを対応させて登録したり、管理したりするために、第２の記憶部としての記録媒体用の記憶部を備える。該記録媒体用の記憶部に、ＩＣカードの媒体識別情報としてのＩＤと、操作モードのモード情報と、ユーザ名とが対応させて記録される。なお、モード情報は、操作モードの名称を表すモード名、操作モードにおける設定値、及び遷移先モード名から成る。該遷移先モード名は、操作モードを他の操作モードに遷移させたときの、他の操作モードのモード名である。
【００５０】
前記印刷制御部２０は、記録部Ｐｔ２及び給紙部Ｐｔ３の制御を行い、印刷ジョブのデータに基づいて生成された画像データに従って用紙Ｐに画像を形成する。
【００５１】
次に、カードリーダ２１について説明する。
【００５２】
図３は本発明の実施の形態におけるカードリーダ及びカードリーダに使用されるカードの種類を説明するための図である。
【００５３】
カードリーダ２１は、仕様の異なる種々のカードＣｄｉ（ｉ＝１、２、…）のデータの読取り及び書込みを行うことができる。
【００５４】
例えば、カードＣｄ１は、ＩＳＯ／ＩＥＣ  １８０９２として設定・標準化されたＮＦＣ（Ｎｅａｒ  Ｆｉｅｌｄ  Ｃｏｍｍｕｎｉｃａｔｉｏｎ) の近距離無線通信規格のカードであり、カードＣｄ２は、ＩＳＯ／ＩＥＣ  １４４４３  Ｔｙｐｅ  Ｂとして設定・標準化された近距離無線通信規格のカードであり、カードＣｄ３は、ＩＳＯ／ＩＥＣ  １５６９３として設定・標準化された近距離無線通信規格のカードである。
【００５５】
本実施の形態においては、各ユーザが所有する、社員証、バス、鉄道等の定期券、マネーカード等の形態を有するＩＣカードをカードリーダ２１にかざすことによって認識させ、ＩＣカードと操作モードとを対応させて登録したり、ＩＣカードを使用して、ＩＣカードに対応する操作モードに基づいてプリンタ１１における処理を行ったりするようにしている。
【００５６】
ユーザがＩＣカードと操作モードとを対応させて登録するために、プリンタ１１において所定の処理を行うための複数の操作モードがあらかじめ設定され、操作パネル１５の表示部に形成された後述されるモード一覧画面ｄｓ１（図４）に、登録可能な操作モードの一覧が表示される。
【００５７】
なお、本実施の形態において、カードリーダ２１は、ＩＣカードがかざされたときにＩＣカードを認識するようになっているが、カードリーダ２１に形成された図示されない挿入溝にＩＣカードが挿入されたときにＩＣカードを認識するようにすることができる。
【００５８】
次に、ＩＣカードに操作モードを登録する際に表示部に表示されるモード一覧画面ｄｓ１について説明する。
【００５９】
図４は本発明の実施の形態におけるモード一覧画面の例を示す図である。
【００６０】
図において、ｄｓ１は操作パネル１５の表示部に形成されるモード一覧画面であり、該モード一覧画面ｄｓ１の表示領域Ａｒ１に、ＩＣカードに登録可能な操作モードの一覧が表示される。また、表示領域Ａｒ１には、各操作モードの登録内容について、操作モードのモード名、操作モードに対するＩＣカードの登録状態、設定値の有無、及び操作モードの遷移を表すモード遷移の有無が表示される。なお、図において、操作モードのモード名として、便宜上、モードＡ〜Ｄが表示されているが、実際は、各操作モードの設定内容を表す名称が表示される。
【００６１】
また、Ｆｒは操作モードの一覧においてユーザが選択している操作モードであることを表す選択枠であり、図においては、ユーザによってモードＡの操作モードが選択されている。なお、前記選択枠Ｆｒは、モード一覧画面ｄｓ１が形成されるのに伴って形成されてもよく、ユーザが操作モードの一覧において所定の操作モードにタッチするのに伴って形成されてもよい。
【００６２】
Ｃｕ１は、表示領域Ａｒ１に表示された操作モードＡ〜Ｄ以外の操作モードを表示領域Ａｒ１に表示するための操作要素としてのカーソルであり、ユーザがカーソルＣｕ１にタッチすると、表示領域Ａｒ１がスクロール表示される。
【００６３】
また、ｍｃ１は、操作モード及びＩＣカードの登録状態、本実施の形態においては、操作モードに対応させて１枚以上のＩＣカードが登録されていることを表す標章としてのマークである。この場合、モードＡ〜Ｃの操作モードに対応させて１枚以上のＩＣカードが登録されていて、モードＤの操作モードに対応させてＩＣカードは登録されていない。
【００６４】
したがって、ユーザは、モード一覧画面ｄｓ１を見るだけで、各操作モードにおけるＩＣカードの登録状態を確認することができる。この場合、モードＡの操作モードにおいては、１枚以上のＩＣカードが登録されていて、設定値が有り、他の操作モードに遷移することができることが分かり、モードＢの操作モードにおいては、１枚以上のＩＣカードが登録されていて、設定値が無く、他の操作モードに遷移することができることが分かり、モードＣの操作モードにおいては、１枚以上のＩＣカードが登録されていて、設定値が有り、他の操作モードに遷移することができることが分かり、モードＤの操作モードにおいては、ＩＣカードが登録されておらず、設定値が無く、他の操作モードに遷移することができることが分かる。
【００６５】
また、モード一覧画面ｄｓ１において、ｂｔ１は、表示部の画面を、モード一覧画面ｄｓ１から一つ前の画面に移行させるための操作要素としての「戻る」ボタン、ｂｔ２は、選択枠Ｆｒに表示される操作モードを登録するための登録用の操作要素としての「登録」ボタンである。ユーザは、「登録」ボタンｂｔ２にタッチすることによって、選択されている操作モードであるモードＡの操作モードに対応させて、新たにＩＣカードを登録することができる。
【００６６】
次に、ＨＤＤ１９の記憶部に記録されたＩＣカード及び操作モードの登録内容について説明する。
【００６７】
図５は本発明の実施の形態におけるＩＣカード及び操作モードの登録内容の例を示す図である。
【００６８】
記録媒体用の記憶部には、ＩＣカード（図においてはカードＡ〜Ｆ）のＩＤ、操作モードのモード名、操作モードにおいて設定された設定値、遷移先モード名、及びＩＣカードを所有しているユーザのユーザ名が記録される。本実施の形態においては、現在の操作モードから他の操作モードに一回だけ遷移させることができるようになっているが、複数回遷移させることができる。その場合、遷移先モード名に複数のモード名が記録される。
【００６９】
このように、ＨＤＤ１９にＩＣカードと操作モードとが対応させて記録されるので、ＩＣカードのＩＤから、操作モードのモード情報を検索し、ＩＣカードを使用して、操作モードに基づいてプリンタ１１における処理を行うことができる。
【００７０】
ここで、モードＡ〜Ｅの各操作モードに対応させてＩＣカードが登録された場合、ＩＣカードを使用することによって、次の処理を行うことができる。
【００７１】
すなわち、登録内容にモードＡの操作モードが含まれると、印刷ジョブの一覧を表示することができ、登録内容にモードＢの操作モードが含まれると、印刷を行う印刷ジョブを選択することができ、登録内容にモードＣの操作モードが含まれると、印刷部数を指定することができ、登録内容にモードＤの操作モードが含まれると、選択された印刷ジョブについて印刷を行うことができ、登録内容にモードＥの操作モードが含まれると、ユーザに属するすべての印刷ジョブについて設定値で示される印刷部数の印刷を行うことができる。
【００７２】
したがって、図に示される登録内容においては、カードＡがモードＡの操作モードで使用されると、設定値が１０であり、モードＥの操作モードに遷移されるので、ユーザＣの印刷ジョブの一覧が表示され、すべての印刷ジョブについて１０部の印刷が行われる。
【００７３】
また、カードＢがモードＢの操作モードで使用されると、設定値は無く、モードＡの操作モードに遷移されるので、ユーザＡのすべての印刷ジョブが選択され、印刷ジョブの一覧が表示される。
【００７４】
そして、カードＣがモードＣの操作モードで使用されると、設定値が３であり、モードＡの操作モードに遷移されるので、ユーザＢの印刷ジョブの一覧が表示され、印刷ジョブの印刷部数が３部に設定される。
【００７５】
また、カードＤがモードＡの操作モードで使用されると、設定値が５であり、モードＤの操作モードに遷移されるので、ユーザＣの印刷ジョブの一覧が表示され、印刷ジョブのうちの選択された印刷ジョブについて５部の印刷が行われる。
【００７６】
さらに、カードＥがモードＢの操作モードで使用されると、設定値は無く、モードＤの操作モードに遷移されるので、ユーザＣの印刷ジョブを選択し、選択された印刷ジョブについて印刷が行われる。
【００７７】
また、カードＦがモードＣの操作モードで使用されると、設定値が７であり、モードＡの操作モードに遷移されるので、ユーザＣの印刷ジョブの一覧が表示され、印刷ジョブの印刷部数が７に設定され、印刷ジョブについて７部の印刷が行われる。
【００７８】
ところで、本実施の形態においては、一つの操作モードに対応させて複数のＩＣカードを登録することができるので、必要に応じて異なるＩＣカードを使用し、プリンタ１１において、異なる登録内容に応じた処理を行うことができる。
【００７９】
例えば、ユーザＣは、カードＡ及びＤをモードＡの操作モードで使用することができ、カードＡを使用すると、設定値が１０であり、モードＥの操作モードに遷移されるので、ユーザＣのすべての印刷ジョブについて１０部の印刷が行われ、印刷ジョブの一覧が表示され、カードＤを使用すると、設定値が５であり、モードＤの操作モードに遷移されるので、ユーザＣの印刷ジョブのうちの選択された印刷ジョブについて５部の印刷が行われる。
【００８０】
次に、ＨＤＤ１９に記録された印刷ジョブの一覧について説明する。
【００８１】
図６は本発明の実施の形態における印刷ジョブ用の記憶部に記録された印刷ジョブの一覧の例を示す図である。
【００８２】
ＨＨＤ１９には、図に示されるように、印刷ジョブが、印刷の依頼の順番を示す番号が付されて記録される。
【００８３】
各印刷ジョブのデータは、ユーザ名、印刷ジョブ自体のデータ、ページ数、印刷部数、及びファイル名から成る。この場合、ページ数及び印刷部数は、印刷ジョブが生成されたときの値を表していて、操作モードに対応させてＩＣカードを登録するときにユーザが必要に応じて変更することができる。
【００８４】
したがって、ユーザが、操作モードに対応させてＩＣカードを登録した後、ＩＣカードをカードリーダ２１に認識させ、カードリーダ２１がＩＣカードのＩＤを読み取ると、制御部１４（図１）はＩＤを読み込み、ＩＤに対応するプリンタ１１における処理を行う。例えば、印刷制御部２０は、ＨＤＤ１９を参照し、印刷ジョブの一覧からＩＣカードのＩＤに基づいて印刷ジョブを検索し、ＩＣカード及び操作モードの登録内容に応じて印刷ジョブについての印刷を行う。
【００８５】
本実施の形態においては、ユーザが、ホストコンピュータ１０において、印刷するファイルを指定して印刷データ及び印刷の指示をプリンタ１１に送信すると、制御部１４は、指定されたファイルの印刷データに基づいて印刷ジョブを作成し、印刷ジョブの一覧に記録する。なお、この場合、ユーザ名は、ユーザがホストコンピュータ１０にログインするときに使用したユーザ名にされる。また、ユーザが読取部Ｐｔ１に原稿をセットすると、読取部Ｐｔ１によって原稿の画像が読み取られ、読取データが生成され、制御部１４は、読取データに基づいて印刷ジョブを作成し、印刷ジョブの一覧に記録する。
【００８６】
そして、印刷ジョブは、生成された順に番号が付与され、ＨＤＤ１９に記録される。印刷が終了すると、印刷ジョブはＨＤＤ１９から削除される。
【００８７】
次に、ＩＣカードと操作モードとを対応させて登録する方法について説明する。
【００８８】
図７は本発明の実施の形態におけるＩＣカードと操作モードとを対応させて登録する際に形成されるカード登録画面の例を示す図である。
【００８９】
図において、ｄｓ２は操作パネル１５（図１）の表示部に形成されるカード登録画面であり、該カード登録画面ｄｓ２は、図４に示されるモード一覧画面ｄｓ１において、ユーザがモードＡの操作モードを選択し、「登録」ボタンｂｔ２にタッチしたことによって形成された画面である。
【００９０】
前記カード登録画面ｄｓ２には登録情報領域Ａｒ２が形成され、該登録情報領域Ａｒ２において、所定の操作モード、すなわち、モードＡの操作モードにおいて、ＩＣカードと操作モードとを対応させて登録するために必要な情報、すなわち、登録情報、本実施の形態においては、プリンタ１１における処理に対する設定値及び遷移先モードを入力することができるようになっている。
【００９１】
そのために、登録情報領域Ａｒ２に、設定値を入力示するための表示枠ｂｘ１及び遷移先モードを入力するための表示枠ｂｘ２が形成される。そして、設定値を変更するために、表示枠ｂｘ１に隣接させて第１、第２の表示変更用の操作要素としてのＵＰボタンｕｂ１及びＤＯＷＮボタンｄｂ１が形成され、ユーザが、ＵＰボタンｕｂ１にタッチすると、設定値がインクリメントされ、ＤＯＷＮボタンｄｂ１にタッチすると、設定値がデクリメントされる。
【００９２】
また、遷移先モードを変更するために、表示枠ｂｘ２に隣接させて、第３、第４の表示変更用の操作要素としてのＵＰボタンｕｂ２及びＤＯＷＮボタンｄｂ２が形成され、ユーザが、ＵＰボタンｕｂ２にタッチすると、遷移先モードが順次変更され、ＤＯＷＮボタンｄｂ２にタッチすると、遷移先モードが反対方向に順次変更される。なお、遷移先モードは、現在の操作モードから遷移可能な他の操作モードが環状に配置され、ユーザがＵＰボタンｕｂ２及びＤＯＷＮボタンｄｂ２にタッチすることによって順番に切り替わる。また、カード登録画面ｄｓ２において、ｂｔ３は登録情報を決定するための操作要素としての「決定」ボタンである。
【００９３】
前記登録情報領域Ａｒ２に、所定の操作モードとしてモードＡが表示された状態で、ユーザが、表示枠ｂｘ１内に設定値として１０を入力し、表示枠ｂｘ２内に遷移先モードとしてモードＥを選択し、「決定」ボタンｂｔ３にタッチすると、登録情報領域Ａｒ２に表示された内容が登録情報として決定され、カード登録画面ｄｓ２上に「ＩＣカードをかざしてください」のようなメッセージが表示される。
【００９４】
そして、ユーザがＩＣカードをカードリーダ２１にかざし、カードリーダ２１がＩＣカードを認識し、ＩＣカードのＩＤを読み取ると、制御部１４は、ＩＣカードのＩＤを読み込み、ＩＤとモード名、設定値、遷移先モード及びユーザ名とを対応させて記録媒体用の記憶部に記録する。このようにして、ＩＣカード及びモードＡの操作モードが登録される。
【００９５】
次に、プリンタ１１においてモードＡの処理によって、操作パネル１５の表示部に形成されるジョブ一覧画面について説明する。
【００９６】
図８は本発明の実施の形態におけるジョブ一覧画面の第１の例を示す図である。
【００９７】
図において、ｄｓ３は操作パネル１５の表示部に形成されるジョブ一覧画面であり、該ジョブ一覧画面ｄｓ３は、モードＡの操作モードに対応させて登録されたカードＡがカードリーダ２１にかざされ、カードリーダ２１によってカードＡが認識されたときに形成される画面である。
【００９８】
すなわち、カードＡがカードリーダ２１にかざされ、カードリーダ２１によってカードＡが認識されると、制御部１４は、カードＡのＩＤを読み込み、ＨＤＤ１９を参照し、カードＡのＩＤと対応させて記録された、モード名、設定値、遷移先モード名及びユーザ名を読み出す。
【００９９】
この場合、モードＡは印刷ジョブの一覧を表示するモードであるので、ジョブ一覧画面ｄｓ３の表示領域Ａｒ３にユーザＣの印刷ジョブが表示される。そして、遷移先のモードＥがユーザに属するすべての印刷ジョブについて設定値で示される部数の印刷を行うモードであり、図５に示されるように、設定値が１０であるので、表示領域Ａｒ３に表示されたユーザＣのすべての印刷ジョブについて印刷部数が１０に設定され、印刷が行われる。
【０１００】
そして、ユーザＣのすべての印刷ジョブについて印刷が行われると、図に示されるように、表示領域Ａｒ３に表示された印刷ジョブに付されたボックスｑ１、ｑ２がいずれも黒く塗りつぶされ、ジョブ一覧画面ｄｓ３に形成された操作要素としての「プリント」ボタンｂｔ４の色が変化させられる。なお、ｂｔ５は、表示部の画面を、ジョブ一覧画面ｄｓ３から一つ前の画面に移行させるための操作要素としての「戻る」ボタンである。
【０１０１】
次に、プリンタ１１においてモードＢの処理によって、操作パネル１５の表示部に形成されるジョブ一覧画面について説明する。
【０１０２】
図９は本発明の実施の形態におけるジョブ一覧画面の第２の例を示す図である。
【０１０３】
図において、ｄｓ４は操作パネル１５の表示部に形成されるジョブ一覧画面であり、該ジョブ一覧画面ｄｓ４は、モードＢは操作モードに対応させて登録されたカードＥがカードリーダ２１にかざされ、カードリーダ２１によってカードＥが認識されたときに形成される画面である。
【０１０４】
この場合、モードＢは印刷ジョブを選択するモードであり、遷移先のモードＤが選択されたジョブを印刷するモードであるので、ジョブ一覧画面ｄｓ４の表示領域Ａｒ４には、ユーザＡの印刷ジョブ及びユーザＣの印刷ジョブから成る印刷ジョブの一覧が表示される。そして、ユーザＣの印刷ジョブが選択されると、ユーザＣの印刷ジョブについて印刷部数が５に設定され、印刷が行われる。
【０１０５】
そして、ユーザＣの印刷ジョブについて印刷が行われると、図に示されるように、表示領域Ａｒ４に表示されたユーザＡの印刷ジョブ及びユーザＣの印刷ジョブに付されたボックスｑ３、ｑ４のうちの、ユーザＣの印刷ジョブに付されたボックスｑ４が黒く塗りつぶされ、ジョブ一覧画面ｄｓ４に形成された操作要素としての「プリント」ボタンｂｔ６の色が変化させられる。なお、ｂｔ７は、表示部の画面を、ジョブ一覧画面ｄｓ４から一つ前の画面に移行させるための操作要素としての「戻る」ボタンである。
【０１０６】
なお、本実施の形態においては、例えば、ジョブ一覧画面ｄｓ４のように、表示部にＩＣカードの登録が可能な画面が形成されている場合、表示部の画面に「登録」ボタンｂｔ８のような「登録」ボタンが登録用の操作要素として形成されるようになっている。したがって、ユーザが画面の「登録」ボタンにタッチすることによって、その時の操作モード及びＩＣカードを登録することができる。
【０１０７】
例えば、モードＤは指定された印刷ジョブを印刷する操作モードであるので、ジョブ一覧画面ｄｓ４において、モードＤの状態で「登録」ボタンｂｔ８にタッチすると、表示部にモードＤに対応するカード登録画面ｄｓ２が形成される。そして、該カード登録画面ｄｓ２において、ユーザが設定されている設定値、遷移先モード等が選択すると、カード登録画面ｄｓ２が設定値、遷移先モード等を決定するための画面に遷移する。
【０１０８】
したがって、ユーザは、モード一覧画面ｄｓ１において操作モードを選択してＩＣカードを登録するか、又は「登録」ボタンｂｔ８にタッチしたときの操作モードでＩＣカードを登録するか、二つの登録方法を選択することができる。
【０１０９】
次に、ＩＣカードをカードリーダ２１にかざしたときのプリンタ１１の動作について説明する。
【０１１０】
図１０は本発明の実施の形態におけるＩＣカードをカードリーダにかざしたときのプリンタ動作を示すフローチャートである。
【０１１１】
ユーザがＩＣカードをカードリーダ２１にかざし、カードリーダ２１がＩＣカードを認識すると、制御部１４は、ＩＣカードのＩＤを読み込み、ＨＤＤ１９を参照し、記録媒体用の記憶部からＩＤに対応する操作モードのモード名、設定値、遷移先モード名及びユーザ名を読み出す。
【０１１２】
続いて、制御部１４は、記録媒体用の記憶部から読み出した操作モードと、プリンタ１１の現在の操作モードとが一致するかどうかを判断し、記録媒体用の記憶部から読み出した操作モードとプリンタ１１の現在の操作モードとが一致する場合、現在の操作モードにおいてＩＣカードが登録されていると判断し、設定値の再設定、モード遷移等の動作を行い、記録媒体用の記憶部から読み出した操作モードとプリンタ１１の現在の操作モードとが一致しない場合、操作パネル１５の表示部に、現在の操作モードに対してＩＣカードが登録されていない旨の表示を行い、ユーザに通知する。
【０１１３】
そこで、制御部１４は、ＩＣカードのＩＤに対応するユーザの印刷ジョブがあるかどうか、すなわち、印刷ジョブ用の記憶部に記録されているかどうかを判断し、ユーザの印刷ジョブが印刷ジョブ用の記憶部に記録されている場合、ＩＣカードのＩＤに対応する設定値で操作モードの処理を行う。例えば、記録媒体用の記憶部から読み出した操作モードとプリンタ１１の現在の操作モードとが一致する場合において、現在の操作モードがモードＡであり、ＩＣカードがカードＡである場合、カードＡのＩＤに対応する操作モード、設定値、遷移先モード及びユーザ名は、それぞれ、モードＡ、１０、モードＥ及びユーザＣである。したがって、制御部１４は、カードＡのＩＤに対応するユーザＣの印刷ジョブが印刷ジョブ用の記憶部に記録されているかどうかを判断し、ユーザＣの印刷ジョブが印刷ジョブ用の記憶部に記録されている場合、カードＡのＩＤに対応する設定値１０で操作モードＡ及びＥの処理を行う。すなわち、制御部１４は、ＨＤＤ１９に記録されている印刷ジョブのうちの、ユーザＣの印刷ジョブを読み出し、読み出したすべての印刷ジョブについて印刷部数を１０にし、印刷を行う。
【０１１４】
一方、ユーザＣの印刷ジョブがＨＤＤ１９に記録されていない場合、制御部１４は、操作パネル１５の表示部に、ユーザＣの印刷ジョブの印刷ができない旨のエラー表示を行い、ユーザに通知する。
【０１１５】
このように、制御部１４は、ＩＣカードのＩＤに対応した操作モード及び遷移先モードにおいて指定された処理を行う。
【０１１６】
次に、フローチャートについて説明する。
ステップＳ１  制御部１４はＩＣカードのＩＤに対応するユーザの印刷ジョブがあるかどうかを判断する。ＩＣカードのＩＤに対応するユーザの印刷ジョブがある場合はステップＳ２に進み、ＩＣカードのＩＤに対応するユーザの印刷ジョブがない場合はステップＳ３に進む。
ステップＳ２  制御部１４はＩＣカードのＩＤに対応する設定値で操作モードの処理を行い、処理を終了する。
ステップＳ３  制御部１４はエラー表示を行い、処理を終了する。
【０１１７】
次に、ＩＣカードをプリンタ１１に登録する動作について説明する。
【０１１８】
図１１は本発明の実施の形態におけるＩＣカードを登録する場合のプリンタの動作を示すフローチャートである。
【０１１９】
まず、制御部１４は、操作パネル１５の表示部にモード一覧画面ｄｓ１（図４）を形成し、モード一覧画面ｄｓ１の表示領域Ａｒ１に、ＩＣカードの登録が可能な操作モードの一覧を表示する。
【０１２０】
ユーザが、表示領域Ａｒ１に表示された操作モードの一覧のうちの、ＩＣカードを登録したい操作モードにタッチすることによって選択すると、制御部１４は、操作パネル１５の表示部にカード登録画面ｄｓ２（図７）を形成する。続いて、ユーザが、カード登録画面ｄｓ２において、設定値及び遷移先モードを入力し、「決定」ボタンｂｔ３にタッチすると、制御部１４は、カード登録画面ｄｓ２の登録情報領域Ａｒ２に表示された内容、すなわち、モード名、設定値及び遷移先モードを登録情報として決定する。
【０１２１】
続いて、制御部１４は、カード登録画面ｄｓ２上に「ＩＣカードをかざしてください」等のメッセージを表示し、ユーザにＩＣカードをカードリーダ２１にかざすように要求する。
【０１２２】
そして、制御部１４は、ＩＣカードがカードリーダ２１にかざされるのを待機し、ＩＣカードが所定の時間内、例えば、１０〔秒〕以内にカードリーダ２１にかざされたかどうかを判断する。ＩＣカードが１０〔秒〕以内にカードリーダ２１にかざされた場合、制御部１４は、ＩＣカードのＩＤを読み出し、ＩＤと対応させて、モード名、設定値、遷移先モード及びユーザ名をＨＤＤ１９に記録する。
【０１２３】
このようにしてモードＡの操作モードに対応させてＩＣカードが登録されると、制御部１４は、操作パネル１５の表示部に、ＩＣカードの登録が完了した旨の表示を行い、ＩＣカードの登録の処理を終了する。
【０１２４】
一方、ＩＣカードが１０〔秒〕以内にカードリーダ２１にかざされなかった場合、制御部１４は、操作パネル１５の表示部に、ＩＣカードの登録ができない旨のエラー表示を行い、ユーザに通知する。
【０１２５】
このように、本実施の形態においては、所定の操作モードにおいて、プリンタ１１における処理に対する設定値が入力されたときに、カードリーダ２１によって読み取られたＩＣカードのＩＤが読み込まれ、該ＩＤと操作モードの名称及びプリンタ１１による処理の設定値とが対応させてＨＤＤ１９に記録され、ＩＣカード及び操作モードが登録されるので、ユーザは、ＩＣカードをカードリーダ２１によって認識させるだけで、ＩＣカード及び操作モードを対応させて容易に登録したり、管理したりすることができる。
【０１２６】
また、ＩＣカードを使用し、カードリーダ２１によって認識させるだけで、操作モードに基づいてプリンタ１１における処理が行われ、ユーザの印刷ジョブを所望の部数印刷したり、複雑な設定が必要な操作モードに対して、設定値を容易に設定したりすることができる。
【０１２７】
例えば、原稿の画像を読み取ったときの画像データをファイルとし、該ファイルをメールに添付して、ユーザ自身のメールアドレスに送信する場合に、あらかじめメールアドレスを登録しておくことによって、ファイルを送信するたびに、メールアドレスを選択したり、入力したりする必要がなくなる。
【０１２８】
次に、フローチャートについて説明する。
ステップＳ１１  制御部１４は表示領域にＩＣカードの登録が可能な操作モードの一覧を表示する。
ステップＳ１２  ユーザはＩＣカードを登録したい操作モードを選択する。
ステップＳ１３  ユーザはカード登録画面ｄｓ２において設定値及び遷移先モードを入力する。
ステップＳ１４  制御部１４はユーザにＩＣカードをカードリーダ２１にかざすよう要求する。
ステップＳ１５  制御部１４はＩＣカードがカードリーダ２１にかざされたかどうかを判断する。ＩＣカードがカードリーダ２１にかざされた場合はステップＳ１６に進み、ＩＣカードがカードリーダ２１にかざされなかった場合はステップＳ１７に進む。
ステップＳ１６  制御部１４はＩＣカードのＩＤと対応させて、モード名、設定値、遷移先モード及びユーザ名をＨＤＤ１９に記録し、処理を終了する。
ステップＳ１７  制御部１４はエラー表示を行い、処理を終了する。
【０１２９】
本実施の形態においては、モード一覧画面ｄｓ１の表示領域Ａｒ１において、ＩＣカードの登録が可能な操作モードの一覧が表示され、ユーザがＩＣカードを登録したい操作モードを選択し、カード登録画面ｄｓ２において設定値及び遷移先モードを入力するようになっているが、例えば、ジョブ一覧画面ｄｓ４において「登録」ボタンｂｔ８にタッチすることによって、設定値及び遷移先モードを入力する画面に移行するようにすることができる。
【０１３０】
前記実施の形態においては、プリンタ１１について説明しているが、本発明を、複写機、ファクシミリ、複合機等の画像形成装置に適用することができる。
【０１３１】
なお、本発明は前記実施の形態に限定されるものではなく、本発明の趣旨に基づいて種々変形させることが可能であり、それらを本発明の範囲から排除するものではない。
【符号の説明】
【０１３２】
１１    プリンタ
１４    制御部
１９    ＨＤＤ
２１    カードリーダ
【図１】
2018047650.tif 000003
【図２】
2018047650.tif 000004
【図３】
2018047650.tif 000005
【図４】
2018047650.tif 000006
【図５】
2018047650.tif 000007
【図６】
2018047650.tif 000008
【図７】
2018047650.tif 000009
【図８】
2018047650.tif 000010
【図９】
2018047650.tif 000011
【図１０】
2018047650.tif 000012
【図１１】
2018047650.tif 000013